(57)【特許請求の範囲】
【請求項１】
表紙用の原稿を含む複数の原稿を順次読み取る読取手段と、
前記読取手段により読み取った原稿画像を記憶する記憶手段と、
シートの両面に画像を形成する画像形成手段と、
画像形成されたシートを複数枚重ねた状態で半折りしたときに頁順となるようにシートの両面の各面に２頁分ずつ画像形成させる第１の設定、表紙を付加する第２の設定、及び表紙に画像形成を行う第３の設定を行うための設定手段と、
前記第１の設定がなされたことに応じて、画像形成されたシートを複数枚重ねた状態で半折りしたときに頁順となるように、前記記憶手段から画像を読み出してシートの両面の各面に対して２頁分ずつレイアウトするレイアウト手段と、
を有し、
前記レイアウト手段は、前記第１、第２及び第３の設定がなされたことに応じて、表紙用の原稿画像については、１頁分の原稿画像をシートの片面の半分の領域にレイアウトするとともに、表紙用でない原稿画像が形成されるシートとは別のシートにレイアウトし、表紙用でない原稿画像については、画像形成されたシートを複数枚重ねた状態で半折りしたときに頁順となるように、シートの両面の各面に対して２頁分ずつ原稿画像をレイアウトすることを特徴とする画像形成装置。
【請求項２】
前記画像形成手段により画像形成されたシートを複数枚重ねた状態でシートの中央部分を綴じ処理する綴じ処理手段と、
前記綴じ処理手段により綴じ処理されたシートの中央部分を折り目として半折りする折り処理手段と、
を更に有することを特徴とする請求項１記載の画像形成装置。
【請求項３】
おもて表紙用原稿画像を形成すべきか否か、及び、うら表紙用原稿画像を形成すべきか否かを設定する表紙画像設定手段を更に有し、
前記レイアウト手段は、前記表紙画像設定手段の設定に基づいて表紙用原稿の枚数を認識し、読み取った原稿枚数から表紙用原稿枚数を除いた枚数に基づいて表紙用原稿以外の原稿の画像をレイアウトし、また、おもて表紙用原稿画像及びうら表紙用原稿画像を形成すべきことが前記表紙画像設定手段により設定されたことに応じて、おもて表紙用原稿画像とうら表紙用原稿画像を同一のシートの同一面に対してレイアウトすることを特徴とする請求項２記載の画像形成装置。
【発明の詳細な説明】
【０００１】
【発明の属する技術分野】
本発明は、画像形成装置に関する。
【０００２】
【従来の技術】
最近、シートの両面に画像形成されたシートを複数枚重ねた状態で半折りして、折り目を綴じたときに頁順となるように、シートの各面に原稿２頁分ずつ画像形成する画像形成装置が提案されている。
【０００３】
【発明が解決しようとする課題】
しかしながら、表紙をつけて仕上げたいときには普通に原稿をセットするときと同じ様に複写すべき原稿に表紙用の原稿を重ねただけでは、表紙用の原稿でない原稿画像が表紙の裏側に形成されてしまう問題がある。
【０００４】
表紙用画像の裏面に画像が形成されないようにするには、原稿束の間に白紙を入れて調整しなければならず、わずらわしいという問題がある。
【０００５】
そこで、本発明は、読み込んだ原稿画像を、設定された操作モードに基づいて、表紙に印刷する画像であるか、表紙以外の記録紙に印刷する画像であるかを判断し、表紙を付けた製本状態にレイアウトされたコピーを容易に得ることができる画像形成装置を提供することを目的とする。
【００１４】
【課題を解決するための手段】
上記目的を達成するために、請求項１に記載の画像形成装置は、表紙用の原稿を含む複数の原稿を順次読み取る読取手段と、前記読取手段により読み取った原稿画像を記憶する記憶手段と、シートの両面に画像を形成する画像形成手段と、画像形成されたシートを複数枚重ねた状態で半折りしたときに頁順となるようにシートの両面の各面に２頁分ずつ画像形成させる第１の設定、表紙を付加する第２の設定、及び表紙に画像形成を行う第３の設定を行うための設定手段と、前記第１の設定がなされたことに応じて、画像形成されたシートを複数枚重ねた状態で半折りしたときに頁順となるように、前記記憶手段から画像を読み出してシートの両面の各面に対して２頁分ずつレイアウトするレイアウト手段と、を有し、前記レイアウト手段は、前記第１、第２及び第３の設定がなされたことに応じて、表紙用の原稿画像については、１頁分の原稿画像をシートの片面の半分の領域にレイアウトするとともに、表紙用でない原稿画像が形成されるシートとは別のシートにレイアウトし、表紙用でない原稿画像については、画像形成されたシートを複数枚重ねた状態で半折りしたときに頁順となるように、シートの両面の各面に対して２頁分ずつ原稿画像をレイアウトすることを特徴とする。
【００１６】
請求項２に記載の画像形成装置では、請求項１に係る画像形成装置において、前記画像形成手段により画像形成されたシートを複数枚重ねた状態でシートの中央部分を綴じ処理する綴じ処理手段と、前記綴じ処理手段により綴じ処理されたシートの中央部分を折り目として半折りする折り処理手段と、を更に有することを特徴とする。
【００１７】
請求項３に記載の画像形成装置は、請求項２に係る画像形成装置において、おもて表紙用原稿画像を形成すべきか否か、及び、うら表紙用原稿画像を形成すべきか否かを設定する表紙画像設定手段を更に有し、前記レイアウト手段は、前記表紙画像設定手段の設定に基づいて表紙用原稿の枚数を認識し、読み取った原稿枚数から表紙用原稿枚数を除いた枚数に基づいて表紙用原稿以外の原稿の画像をレイアウトし、また、おもて表紙用原稿画像及びうら表紙用原稿画像を形成すべきことが前記表紙画像設定手段により設定されたことに応じて、おもて表紙用原稿画像とうら表紙用原稿画像を同一のシートの同一面に対してレイアウトすることを特徴とする。
【００２０】
【発明の実施の形態】
本発明の画像形成装置の実施の形態について説明する。本実施の形態における画像形成装置は複写機に適用される。図１は実施の形態における複写機の構成を示す断面図である。
【００２１】
図において、原稿給送装置１に上向きに載置された原稿の束は、上から１枚づつ順次原稿台ガラス面２に搬送される。このとき、原稿給送装置１内に設けられた原稿サイズ検出センサ（図示せず）により、搬送される原稿のサイズが検出される。また、原稿台ガラス面２に直接原稿をセットする場合、反射型センサ２２、２３により、原稿サイズを検出することが可能である。
【００２２】
原稿が原稿台ガラス面２に搬送されると、ランプ３が点灯してスキャナユニット４が移動し、原稿を照射する。原稿からの反射光はミラー５、６、７を介してレンズ８を通過し、イメージセンサ９に入力する。イメージセンサ９に入力した原稿画像はＣＰＵ回路部３７（図３参照）で処理されると、直接、露光制御部１０に入力されるか、あるいは一旦、画像メモリ３５に記憶され（図３参照）、再び読み出された後、露光制御部１０に入力される。
【００２３】
そして、露光制御部１０で画像信号は光信号に変換されると、光信号は画像信号にしたがって変調されて、感光体１１に照射される。この照射によって感光体１１上に作られた静電潜像は現像器１２で現像される。
【００２４】
現像タイミングに合わせて、被転写紙積載部１４、１５から転写紙が搬送され、転写部１６で現像されたトナー像が転写される。そして、転写されたトナー像は定着部１７で転写紙に定着された後、転写紙は片面画像で排紙する場合、排紙部１８から装置外部に排出され、両面出力または多重出力の場合、フラッパー２０により両面・多重パス２１を通過し、再び転写部１６に送られる。
【００２５】
排紙部１８から出力された転写紙は、排紙処理装置１００に送られ、フラッパ１０２により排紙トレー１１２に排出されるか、あるいは半折りパス１０４に送られる。両面出力された転写紙の１面目は半折りパス１０４内では右側（折り部１０９側）を向き、２面目は左側を向いている。
【００２６】
図２は半折り処理の手順を示す図である。半折りパス１０４に送られてきた用紙は、突き当て板１２０まで送られる（同図（Ａ））。突き当て板１２０を一旦下げた後に所定位置まで上げることにより、用紙後端を退避パス１０５に入れ、次の用紙が搬送されるのを待つ（同図（Ｂ））。同様に、２枚目の用紙も退避パス１０５にセットする（同図（Ｃ））。すべてのシートが送り込まれたら、用紙の中央部がステープラ１１５の位置になるように突き当て板１２０を上げ、ステープラ１１５により綴じ処理する。そして、突き当て板１２０にセットされている用紙の中央部が折り部１０９に位置するように突き当て板１２０を下げ（同図（Ｄ））、折り部１０９を折りローラ１０７方向に移動させることで用紙中央部が折りローラ１０７に入り、（同図（Ｅ））に示すように積載された用紙が半折りにされて排紙トレー１１１に排紙される。つまり、両面出力された１面目が内側に折り込まれた状態で排紙される。
【００２７】
尚、この排紙処理装置１００は複写機本体と脱着可能であり、この排紙処理装置１００を検知するセンサ（図示せず）が本体に設けられている。
【００２８】
図３は複写機の制御部の構成を示すブロック図である。図において、画像読み取り部３１は、原稿画像の反射光を入力する光学系、光学系からの反射光をアナログ信号に変換するＣＣＤおよびＣＣＤから受け取ったアナログ信号をデジタル信号に変換するＡ／Ｄコンバータなどから構成され、原稿画像を読み取り、画像処理部３２に送出する。
【００２９】
画像処理部３２はシェーディング補正回路、光色濃度変換回路、およびユーザの指示に基づいて画像の変倍、移動、装飾などの編集を行う画像編集回路などから構成され、画像読み取り部３１から入力された画像を補正および編集し、画像データセレクタ３３を介して画像記録部３４または画像記憶用の画像メモリ３５に送る。
【００３０】
画像データセレクタ３３は、画像処理部３２から送られた画像データを画像記録部３４に送るパスと、画像メモリ３５に送るパスと、画像メモリ３５から読み出された画像データを画像記録部３４に送るパスとをＣＰＵ回路部３７からの指示により切り換える切換回路部、画像処理部３２から送られた画像データおよび画像メモリ３５から読み出された画像データを合成する合成回路部などから構成されている。
【００３１】
画像記録部３４は画像データセレクタ３３から送られた画像データの濃度信号に基づいて記録紙に画像を転写する。
【００３２】
画像メモリ３５では画像データセレクタ３３から送られた画像データをＣＰＵ回路部３７の指示により指定位置に後述する方法で記憶しかつ読み出すと共に、画像の回転処理やメモリ上での画像の合成処理などを行う。
【００３３】
ＣＰＵ回路部３７は本装置全体を制御するＣＰＵを搭載しており、制御プログラム、エラー処理プログラム等を記憶するＲＯＭ３８、各種のプログラムのワークエリア等のために使用されるＲＡＭ３９、各種タイマー制御部などを有する。ＲＯＭ３８には、上記ＣＰＵによって実行される後述の図９、図１０、図１１、図１２、図１４、図１５のフローチャートに示す各種プログラムが格納されている。
【００３４】
操作部３６は、画像処理部３２に対する画像編集内容、コピー枚数などの画像形成動作を指示する各種キー群、操作時の内容を表示する表示部などを有する。
【００３５】
図４は複写機の操作部３６の外観を示す図である。図示するように、操作部３６には、各種キー（タッチパネル）、ドットマトリックスからなる液晶表示部（タッチパネルディスプレイ）２３８が配置されている。液晶表示部２３８は装置の状態、コピー枚数、倍率、選択用紙および各種操作画面を表示し、コントロールキー２３１〜２３５により操作される。
【００３６】
また、スタートキー２０３はコピーを開始させるキーであり、復帰キー２０２は設定モードを標準状態に復帰させるキーである。また、キー群２０５はコピー枚数、ズーム倍率などを入力する「０」から「９」までのテンキーおよびその入力をクリアするクリアキーからなる。濃度キー２０７は濃度をアップダウンするキーであり、これにより調整される濃度は表示部２４１に表示される。キー２３７は自動濃度調整機能をＯＮ／ＯＦＦするキーおよびその表示部であり、キー２０６は給紙段およびオート用紙選択機能を選択するキーであり、この選択状態は液晶表示部２３８に表示される。
【００３７】
キー２０８、２１０は、それぞれ等倍、定型縮小／拡大を設定するキーである。また、設定状況は液晶表示部２３８に表示される。製本モードキー２２０は、複写した用紙を半折りにした状態で製本するためのモード（製本モード）を設定するキーである。その設定手順は液晶表示部２３８および表示部２１９に表示される。
【００３８】
また、キー２１８は表紙モードを設定するキーである。その設定手順は液晶表示部２３８に表示される。図５は表紙モードの設定手順を示す図である。キー２１８が押されると、表紙にコピーするかしないかを設定する表示を行う（同図（Ｂ））。ここで、「コピーしない」を指定した場合、表紙となる用紙にコピーしない表紙モードを設定して同図（Ａ）の表示状態に戻る。一方、「コピーする」を指定した場合、表紙となる用紙のどの面にコピーするかの指定を行う（同図（Ｃ））。指定が終了した場合、表紙となる用紙にコピーする表紙モードを設定して同図（Ａ）に戻る。設定されている状況は表示部２１７に表示される。
【００３９】
同図（Ｄ）は同図（Ｃ）での設定が表紙となる用紙のどの面を指しているのかを表す。表−表紙は表表紙の表を、表内−表紙は表表紙の裏を、裏−表紙は裏表紙の表を、裏内−表紙は裏表紙の裏を表す。
【００４０】
上記構成を有する複写機の動作について説明する。図６は原稿画像の記憶方法および読み出し方法を示す図である。同図（Ａ）は画像メモリの１つの記憶容量を示し、縦４６６２×横６５９６ビットで構成され、Ａ３サイズの画像が記憶可能である。図７は画像メモリ３５の画像記憶領域を示す図である。画像記憶領域は１つの画像レイアウトメモリ（領域）および１００枚分の画像が記憶できる画像メモリ（領域）から構成されている。
【００４１】
始めに、原稿画像を画像メモリに記憶する方法について説明する。本実施形態では、原稿台ガラス面２に置かれたＡ４サイズの原稿を画像メモリに記憶する場合を示す。
【００４２】
図６の（Ｂ）では、原稿は矢印方向に順次読み込まれる。まず、（０，０）アドレスをスタート位置とし、Ｘ方向カウンタをアップ、Ｙ方向カウンタをアップに指定して１ライン目が読み込まれると、Ｙ方向カウンタがアップされ、（０，４６６１）アドレス方向に順に書き込まれる。次に２ライン目が読み込まれると、Ｘ方向カウンタがアップされ、（１，０）アドレスから（１，４６６１）アドレス方向に順に書き込まれる。このように読み込み、書き込みを繰り返して（３２９７，４６６１）アドレスまで書き込まれる。
【００４３】
つぎに、画像メモリに書き込まれた画像データを読み出す処理を同図（Ｃ）、（Ｄ）に示す。同図（Ｃ）では、画像データの１ライン目の（３２９７，０）アドレスをスタート位置とし、Ｘ方向カウンタをダウン、Ｙ方向カウンタをアップに指定し、（０，０）アドレス方向にＸカウンタを順次ダウンしながら読み出す。そして、Ｙカウンタをアップさせ、２ライン目の読み出しを行い、（３２９７，１）アドレスから、（０，１）方向に順次読み出す。
【００４４】
同図（Ｄ）では、１ライン目の（０，０）アドレスをスタート位置とし、Ｘ方向カウンタをアップ、Ｙ方向カウンタをアップに指定し、（０，４６６１）アドレス方向にＹカウンタを順次アップしながら読み出す。そして、Ｘカウンタをアップさせ、２ライン目の読み出しを行い（１，０）アドレスから（１，４６６１）方向に順次読み出す。
【００４５】
したがって、同図（Ｃ）の方法で読み出すことにより、Ａ４の原稿画像を回転させることができ、同図（Ｄ）の方法で読み出すことにより画像を回転させないで読み出すことができる。
【００４６】
同図（Ｅ）では、個々に記憶された画像データを読み出し、画像レイアウトメモリの所望の位置に画像データを書き込むことにより、別々の原稿画像をメモリ上で合成することができる。
【００４７】
つぎに、製本モードのコピー処理について説明する。図８は製本モードにおけるコピー処理を示す図である。同図（Ａ）は入力原稿６０１〜６０８を示し、これらの原稿は８枚重ねられた状態で原稿給送装置１にセットされる。同図（Ｂ）は両面出力により製本した状態を示す。同図（Ｃ）は１枚目と２枚目の用紙に対するページ振り分けを示す。
【００４８】
図９および図１０は製本モードおよび表紙モードが指定された場合のコピー処理手順を示すフローチャートである。まず、図８の原稿６０１〜６０８を原稿給送装置１にセットする。また、表紙モードを指定する場合（図５参照）、表紙にコピーする原稿を原稿給紙装置１に載置された原稿６０１〜６０８の上にセットする（図１７の（Ａ）参照）。つまり、表表紙、表内表紙にコピーするための原稿はもちろんのこと、裏内表紙、裏表紙にコピーするための原稿も原稿６０１〜６０８の上にセットする。セットする順番は上から表表紙、表内表紙、裏内表紙、裏表紙の順とする。これによって、ユーザは順番に重ねられた中身（本文）用の原稿束の上に表表紙、裏表紙を含む表紙用原稿を重ねてセットするだけでよく、ユーザは混乱することなく、思いどおりの製本モードを実行させることができる。図１７（Ａ）は図５（Ｃ）の設定のときの原稿セットの様子を表している。
【００４９】
このように原稿がセットされた状態でコピースタートキー２０３が押されることにより、コピー処理がスタートする。
【００５０】
まず、原稿給送装置１に設けられた原稿サイズ検出センサあるいは反射型センサ２２，２３により、原稿サイズを検出する（ステップＳ８０１）。つぎに用紙の選択および選択された用紙のチェックを行う（ステップＳ８０２）。
【００５１】
図１１は用紙選択処理手順を示すフローチャートである。まず、半折り機構を有する排紙処理装置１００が装着されているか否かを判別する（ステップＳ１００１）。排紙処理装置１００が装着されていない場合、ステップＳ１００４の処理を行う。一方、装着されている場合、製本モードが指定されているか否かを判別する（ステップＳ１００２）。
【００５２】
製本モードが指定されていない場合、ステップＳ１００４の処理を行う。一方、製本モードが指定されている場合、オート用紙選択が指定されているか否かを判別する（ステップＳ１００３）。
【００５３】
オート用紙選択が指定されている場合、後述するステップＳ１００６のオート用紙選択１の処理を行う。一方、指定されていない場合、用紙選択キーで指定された用紙が横向き（用紙の排紙方向を長辺とする向き）の用紙であるか否かを判別し、横向きの用紙である場合、その用紙を選択し（ステップＳ１０１０）、処理を終了する。一方、横向きの用紙でない場合、選択された用紙が不適切であることを所定のＲＡＭ領域に設定し（ステップＳ１００９）、処理を終了する。
【００５４】
一方、ステップＳ１００４ではオート用紙選択が指定されているか否かを判別し、指定されている場合、後述するステップＳ１００７のオート用紙選択２の処理を行う。また、指定されていない場合にはステップ１００８の処理を行う。ステップ１００８では用紙選択キーで指定された用紙を選択してこの処理を終了する。
【００５５】
図１２はステップＳ１００６におけるオート用紙選択１の処理手順を示すフローチャートである。まず、画像サイズを計算する（ステップＳ１１０１）。画像サイズは、原稿サイズ検出センサあるいは反射型センサ２２，２３により検出された原稿サイズと、操作部で設定される変倍データ、その他のモード等により計算される。例えば、製本モードの場合、原稿２面分が入るサイズであり、検出された原稿サイズに変倍率を掛け、短辺を２倍したサイズとして計算される。
【００５６】
最適サイズを検索する（ステップＳ１１０２）。図１３は最適サイズの検索に用いられるテーブルを示す図である。最適サイズの検索は、同図（Ａ）に示す小さい順に並べた横方向の用紙の中からステップＳ１１０１で計算された画像サイズが入る最小の用紙を選択することにより行われる。
【００５７】
装着されている用紙カセットの用紙の向きおよびサイズにより、横方向の用紙のサイズ順のテーブルおよび縦方向の用紙のサイズ順のテーブルを各々ＲＡＭ内の所定領域に作成する（ステップＳ１１０３）。
【００５８】
ステップＳ１１０２で検索したサイズおよびステップＳ１１０３で用紙カセットサイズ順に並べた横方向のテーブルにより、一致するものを検索し（ステップＳ１１０４）、一致するものがあるか否かを判別する（ステップＳ１１０５）。一致するものがある場合、そのカセットを選択し（ステップＳ１１０７）、処理を終了する。一方、一致するものがない場合、第２の候補を選択する（ステップＳ１１０６）。第２の候補の選択は、ステップＳ１１０２で検索したサイズが入る最小サイズの用紙をステップＳ１１０３で作成したテーブルから検索する。ここで、選択する用紙カセットがない場合、最大の用紙を選択して終了する。
【００５９】
図１４はステップＳ１００７におけるオート用紙選択２の処理手順を示すフローチャートである。まず、画像サイズを計算する（ステップ１２０１）。画像サイズの計算は、原稿サイズ検出センサあるいは反射型センサ２２，２３により検出された原稿サイズおよび操作部で設定される変倍データ、その他のモード等により計算される。
【００６０】
最適のサイズを検索する（ステップＳ１２０２）。最適サイズの検索は、図１３の（Ｂ）に示す小さい順に並べた縦、横方向の用紙の中からステップＳ１２０１で計算された画像サイズが入る最小の用紙を選択することにより行われる。装着された用紙カセットをサイズ順に並べ、そのテーブルをＲＡＭ内の所定領域に作成する（ステップＳ１２０３）。
【００６１】
ステップＳ１２０２で検索したサイズとステップＳ１２０３で用紙カセットをサイズ順に並べたテーブルとから一致するものを検索し（ステップＳ１２０４）、一致するものがあるか否かを判別する（ステップＳ１２０５）。一致するものがある場合、そのカセットを選択し（ステップＳ１２０７）、処理を終了する。
【００６２】
一方、一致するものがない場合、第２の候補を選択する（ステップＳ１２０６）。第２の候補の選択はステップＳ１２０２で検索したサイズが入る、最小サイズの用紙をステップＳ１２０３で作成したテーブルから検索する。ここで、選択する用紙カセットがない場合、最大の用紙を選択して終了する。
【００６３】
こうして、図９のステップＳ８０２の用紙選択処理が終了する。続いて、ステップＳ８０２で処理した結果、選択している用紙が不適切でないか、あるいは最適サイズの用紙が選択されているかなど用紙のチェックを行う（ステップＳ８０３）。
【００６４】
用紙チェックの結果、ＯＫである場合、ステップＳ８０６の処理に進む。一方、ＯＫでない場合、用紙が不適切である旨のメッセージを操作部の液晶表示部２３８に表示し（ステップＳ８０４）、再スタートのためのスタートキーの入力を待つ（ステップＳ８０５）。スタートキーの入力があった場合、ステップＳ８０６の処理に進む。
【００６５】
ステップＳ８０６では、原稿給送装置１に上向きに置かれた原稿を上から順に原稿台ガラス面２に搬送してイメージセンサ９で原稿画像を読み込み、図７に示した画像メモリ３５に順に（図７においては画像メモリ１から順に）記憶する。同時に原稿枚数Ｎをカウントする。
【００６６】
表紙モードがセットされ、表紙にコピーする設定が行われている場合、数式（１）によりカウントした原稿枚数Ｎからコピーする表紙原稿枚数Ｃ（最大４）を引いて原稿枚数Ｎを補正する（ステップＳ８０７）。表紙原稿枚数Ｃは図５（Ｃ）の画面で指定されたチェックマークの数に等しい。
【００６７】
Ｎ＝Ｎ−（コピーする表紙原稿枚数Ｃ）  ………  （１）
原稿枚数Ｎから出力用紙枚数Ｐを数式（２）により計算する（ステップＳ８０８）。
【００６８】
Ｐ＝ＱＵＯＴ［（Ｎ＋３）／４］  ………  （２）
ここで、ＱＵＯＴ［Ｘ］はＸの整数商を表し、割り算の結果の小数点以下を切り捨てた整数値である。
【００６９】
次に、画像読み出し順を計算して画像読み出し順を示す画像処理テーブルを作成する（ステップＳ８０９）。図１５はステップＳ８０９における画像処理テーブルの作成処理手順を示すフローチャートである。まず、カウンタｉを値０に設定し、カウンタＰｕｐとカウンタＰｄｏｗｎにステップＳ８０８で求めた出力用紙枚数Ｐをセットする（ステップＳ９０１）。
【００７０】
出力用紙枚数Ｐとカウンタｉとを比較し（ステップＳ９０２）、比較演算（ｉ＜Ｐ）の結果が真である場合、ステップＳ９０３に進み、偽である場合、処理を終了する。ステップＳ９０３では、数式（３）にしたがって計算を行い、画像読み出し順を示す画像処理テーブルに順に書き込んでいく。図１６（Ａ）は表紙なしあるいは表紙にコピーしないときの画像処理テーブルを示す図である。図１６（Ｂ）は図５（Ｃ）の設定のように表紙用原稿が３枚あるときの画像処理テーブルを示す図である。
【００７１】
１面目−左＝２×Ｐｄｏｗｎ＋Ｃ
１面目−右＝２×Ｐｕｐ＋１＋Ｃ
２面目−左＝２×Ｐｕｐ＋２＋Ｃ
２面目−右＝２×Ｐｄｏｗｎ−１＋Ｃ      ………  （３）
ここで、Ｃはコピーする表紙原稿数を表す。
【００７２】
そして、カウンタｉに値１を加算し、カウンタＰｕｐに値１を加算し、カウンタＰｄｏｗｎに値１を減算し（ステップＳ９０４）、再びステップＳ９０２の処理に戻り、ステップＳ９０２以下の処理を繰り返し、図１６に示す画像処理テーブルを作成する。
【００７３】
そして、図１６に示した画像処理テーブルの順にしたがって、画像メモリ３５に記憶されている画像を画像メモリ３５内の画像レイアウトメモリにレイアウトする（ステップＳ８１０）。図１６（Ａ）の例では、まず４番目の画像を画像レイアウトメモリの左側になるように、前述した方法で画像をレイアウトする。次に５番目の画像を画像レイアウトメモリの右側になるように画像レイアウトする。そして、１面目のプリント開始にしたがって画像レイアウトメモリの画像をプリントする（ステップＳ８１１）。ステップＳ８１０と同様に次の画像を画像レイアウトメモリに展開する（ステップＳ８１２）。そして、ステップＳ８１１でプリントした用紙の裏面に、展開した次の画像を同様にプリントする（ステップＳ８１３）。ステップＳ８０３と同様に用紙チェックを行い（ステップＳ８１４）、用紙チェックの結果、ＯＫの場合、両面にプリントされた用紙を、排紙処理装置１００が装着されている場合、排紙処理装置１００内のスタック部１１０に蓄える（ステップＳ８１５）。一方、用紙チェックの結果、ＯＫでない場合、スタック部１１０に搬送せずに機外に排紙する（ステップＳ８１６）。
【００７４】
前述したステップＳ８１０以下の処理を出力用紙枚数Ｐの回数だけ処理したか否かを判別し（ステップＳ８１７）、処理を終了していない場合、ステップＳ８１０以下の処理を繰り返す。一方、処理を終了した場合、操作部で指定された部数分終了したか否かを判別し（ステップＳ８１８）、終了していない場合、ステップＳ８１０以下の処理を繰り返し、終了した場合、ステップＳ８１９の処理に移行する。
【００７５】
ステップＳ８１９では、表紙モードがセットされているか否かを判別する。表紙モードでない場合、ステップＳ８２５以降の処理を行う。
【００７６】
表紙モードである場合、表紙画像処理テーブルを作成する（ステップＳ８２０）。図１７（Ｂ）は表紙用原稿画像の配置を表す図である。図１８は表紙画像処理テーブルを示す図である。同図（Ｂ）での数値１、２、３、４は読み込まれた表紙用原稿画像のページ情報を示す。同図（Ａ）に示す操作部で指定されたモードに基づいて、同図（Ｂ）に示すプリント画像のページ情報を読み出し、画像のレイアウト処理を行う（ステップＳ８２１）。図中のページ情報の値０はレイアウトする画像がないことを示す。１面目、２面目の画像レイアウト処理はそれぞれステップＳ８２１、ステップＳ８２３で行われるが、その際、図１８に示す表紙画像処理テーブルにしたがって、画像メモリ３５に記憶されている画像を画像メモリ３５内の画像レイアウトメモリにレイアウトする（ステップＳ８２１）。レイアウトの方法はステップＳ８１０の処理と同様である。
【００７７】
１面目のプリント開始では、画像レイアウトメモリの画像をプリントする（ステップＳ８２２）。ステップＳ８２１と同様に次の画像を画像レイアウトメモリに展開する（ステップＳ８２３）。ステップＳ８２２でプリントした用紙の裏面に同様に次の画像をプリントする（ステップＳ８２４）。
【００７８】
プリントが終了すると、ステップＳ８２５以降の処理を行う。ステップＳ８２５では用紙を半折りパス１０４にスタックしているか否かを判別し、スタックしている場合、半折り処理を行い（ステップＳ８２６）、機外に排出する。一方、スタックしていない場合、処理を終了する。
【００７９】
このように処理することによって、表紙付きの製本レイアウトが可能となる。
【００８０】
尚、本発明は複数の機器から構成されるシステムに適用してもよいし、１つの機器からなる装置に適用してもよい。また、本発明はシステムあるいは装置にプログラムを供給することによって達成される場合にも適用できることはいうまでもない。この場合、本発明を達成するためのソフトウェアによって表されるプログラムを格納した記憶媒体をシステムあるいは装置に読み出すことによってそのシステムあるいは装置が本発明の効果を享受することが可能となる。
【００８１】
本実施の形態では、記憶媒体としてＲＯＭが用いられているが、これに限らず、例えばフロッピーディスク、ハードディスク、光ディスク、光磁気ディスク、ＣＤ−ＲＯＭ、ＣＤ−Ｒ、ＤＶＤ、磁気テープ、不揮発性のメモリカードなどを用いることができる。
【００９０】
【発明の効果】
本発明の請求項１に記載の画像形成装置によれば、製本に適したレイアウトを行う際に表紙画像のレイアウトを表紙以外の画像とは独立して行わせることが簡単な操作でできる。また、表紙用原稿と裏表紙用原稿は表紙の束としてひとまとめにして扱うことができ、操作性が向上する。
【００９２】
請求項２に記載の画像形成装置によれば、自動的に製本することができる。
【００９３】
請求項３に記載の画像形成装置によれば、表紙用原稿画像をどの位置にレイアウトするかを容易に設定できるとともに、表紙以外の画像を表紙と独立してレイアウトすることができる。
【図面の簡単な説明】
【図１】実施の形態における複写機の構成を示す断面図である。
【図２】半折り処理の手順を示す図である。
【図３】複写機の制御部の構成を示すブロック図である。
【図４】複写機の操作部３６の外観を示す図である。
【図５】表紙モードの設定手順を示す図である。
【図６】原稿画像の記憶方法および読み出し方法を示す図である。
【図７】画像メモリ３５の画像記憶領域を示す図である。
【図８】製本モードにおけるコピー処理を示す図である。
【図９】製本モードおよび表紙モードが指定された場合のコピー処理手順を示すフローチャートである。
【図１０】図９につづく製本モードおよび表紙モードが指定された場合のコピー処理手順を示すフローチャートである。
【図１１】用紙選択処理手順を示すフローチャートである。
【図１２】ステップＳ１００６におけるオート用紙選択１の処理手順を示すフローチャートである。
【図１３】最適サイズの検索に用いられるテーブルを示す図である。
【図１４】ステップＳ１００７におけるオート用紙選択２の処理手順を示すフローチャートである。
【図１５】ステップＳ８０９における画像処理テーブルの作成処理手順を示すフローチャートである。
【図１６】画像処理テーブルを示す図である。
【図１７】表紙用原稿画像の配置を示す図である。
【図１８】表紙画像処理テーブルを示す図である。
【符号の説明】
１  原稿給送装置
３１  画像読み取り部
３４  画像記録部
３５  画像メモリ
３６  操作部
３７  ＣＰＵ回路部
３８  ＲＯＭ
１００  排紙処理装置
【図１】
0003592091.tif 000002
【図２】
0003592091.tif 000003
【図３】
0003592091.tif 000004
【図４】
0003592091.tif 000005
【図５】
0003592091.tif 000006
【図６】
0003592091.tif 000007
【図７】
0003592091.tif 000008
【図８】
0003592091.tif 000009
【図９】
0003592091.tif 000010
【図１０】
0003592091.tif 000011
【図１１】
0003592091.tif 000012
【図１２】
0003592091.tif 000013
【図１３】
0003592091.tif 000014
【図１４】
0003592091.tif 000015
【図１５】
0003592091.tif 000016
【図１６】
0003592091.tif 000017
【図１７】
0003592091.tif 000018
【図１８】
0003592091.tif 000019